(57)【要約】本発明は、二次ネットワークノード（１１０Ａ）から新しい二次ネットワークノード（１１０Ｂ）への二次ネットワーク内のユーザ機器（ＵＥ）コンテキストの転送に関し、ＵＥ（１０５）は、マスタネットワークノード（１２０）および二次ネットワークノード（１１０Ａ）によってサービスされ、ＵＥは測定構成に基づいて、二次ネットワークノード（１１０Ａ）によって構築された測定構成を示す第１のメッセージ（１２０２）を受信することと、新しい二次ネットワークノード（１１０Ｂ）の潜在的な候補の測定を実行することと、新しい二次ノードの潜在的な候補の測定値を示す測定報告を含む第２のメッセージ（１２０３）を送信することとを実行し、本発明はさらに、二次ネットワークノードにより実行される対応する方法に関連し、本発明はさらに、対応するＵＥおよび対応する二次ネットワークノードに関連する。
2019537369.tif 000002
【特許請求の範囲】
【請求項１】
二次ネットワークノード（１１０Ａ）から新しい二次ネットワークノード（１１０Ｂ）への二次ネットワーク内のユーザ機器（ＵＥ）のコンテキストの転送のための方法であって、前記ＵＥ（１０５）は、マスタネットワークノード（１２０）および前記二次ネットワークノード（１１０Ａ）によってサービスされ、前記方法は、
・  前記ＵＥが、前記二次ネットワークノード（１１０Ａ）により構築された測定構成を示す第１のメッセージ（１２０２）を受信することと、
・  前記ＵＥが、前記測定構成に基づいて、新しい二次ネットワークノード（１１０Ｂ）の潜在的候補の測定を実行することと、
・  前記ＵＥが、前記新しい二次ノードの潜在的候補の前記測定を示す測定報告を含む第２のメッセージ（１２０３）を送信することと、を含む方法。
【請求項２】
請求項１に記載の方法であって、前記第１のメッセージは前記マスタネットワークノード（１２０）から受信され、前記第１のメッセージ（１２０２）は前記測定構成（１２０１）を含む、方法。
【請求項３】
請求項１または２に記載の方法であって、前記測定構成は測定すべき適切な周波数間を示し、前記ＵＥ（１０５）は、対応する測定を実行する、方法。
【請求項４】
請求項１乃至３のいずれか一項に記載の方法であって、前記第１のメッセージ（１２０２）は、前記二次ノード（１１０Ａ）内のＲＲＣエンティティによって生成される、方法。
【請求項５】
請求項１乃至４のいずれか一項に記載の方法であって、前記ＵＥ（１０５）は、ＲＲＣパケットデータユニット（ＰＤＵ）の形で前記測定構成を受信する、方法。
【請求項６】
請求項１乃至５のいずれか一項に記載の方法であって、前記第２のメッセージは、前記マスタネットワークノード（１２０）に送信される、方法。
【請求項７】
請求項１乃至６のいずれか一項に記載の方法であって、前記ＵＥ（１０５）は、前記二次ネットワークに転送されるコンテナ内に前記測定報告を含む前記第２のメッセージを生成する、方法。
【請求項８】
請求項１乃至７のいずれか一項に記載の方法であって、前記第１のメッセージおよび前記第２のメッセージはＲＲＣメッセージである、方法。
【請求項９】
請求項１乃至８のいずれか一項に記載の方法であって、前記ソース二次ネットワークノードから前記ターゲット二次ネットワークノードへ前記コンテキストを転送する前記二次ネットワークの決定に応答して、前記ＵＥは、接続再構成メッセージを含む第３のメッセージ（６１３、７１５）を受信する、方法。
【請求項１０】
請求項９に記載の方法であって、前記ＵＥは、前記第３のメッセージに応答して、接続再構成完了確認を含む第４のメッセージ（６１５、７１７）を送信する、方法。
【請求項１１】
請求項９乃至１０のいずれか一項に記載の方法であって、前記第３のメッセージおよび前記第４のメッセージはＲＲＣメッセージである、方法。
【請求項１２】
請求項９乃至１１のいずれか一項に記載の方法であって、前記第３のメッセージは、前記マスタネットワークノード（１２０）から受信される、方法。
【請求項１３】
請求項９乃至１２のいずれか一項に記載の方法であって、前記第３のメッセージは、前記ターゲット二次ネットワークノード（１１０Ｂ）により生成された二次ノード構成を含む、方法。
【請求項１４】
請求項９乃至１３のいずれか一項に記載の方法であって、前記第４のメッセージは、前記マスタネットワークノード（１２０）へと送信される、方法。
【請求項１５】
請求項１４に記載の方法であって、前記第４のメッセージを送信することは、前記マスタネットワークノード（１２０）から前記新しい二次ネットワークノード（１１０Ｂ）への接続再構成完了情報を含む第５のメッセージの送信を開始する、方法。
【請求項１６】
請求項１乃至１５のいずれか一項に記載の方法であって、前記二次ネットワークは新無線（ＮＲ）ネットワークであり、前記二次ネットワークノード（１１０Ａ）は、新無線ノードＢ（ＳｇＮＢ）である、方法。
【請求項１７】
請求項１乃至１６のいずれか一項に記載の方法であって、前記マスタネットワークノード（１２０）はＬＴＥネットワークノードであり、前記マスタネットワークノード（１２０）は、マスタ発展型ノードＢ（ＭｅＮＢ）である、方法。
【請求項１８】
請求項１乃至１７のいずれか一項に記載の方法を実行するように適合されたユーザ機器（ＵＥ）（１０５）。
【請求項１９】
二次ネットワークノード（１１０Ａ）から新しい二次ネットワークノード（１１０Ｂ）への二次ネットワーク内のＵＥコンテキストの転送をサポートするように構成されたユーザ機器（ＵＥ）（１０５）であって、前記ＵＥ（１０５）はマスタネットワークノード（１２０）および前記二次ネットワークノードによってサービスされ、前記ＵＥは、送信機と、受信機と、メモリと、１つまたは複数のプロセッサを備えるデータ処理システムとを備え、前記メモリは前記１つまたは複数のプロセッサによって実行可能な命令を含み、前記ＵＥ（１０５）は、
・  前記二次ネットワークノード（１１０Ａ）により構築された測定構成（１２０１）を示す第１のメッセージ（１２０２）を受信し、
・  前記測定構成に基づいて、前記新しい二次ネットワークノードの潜在的候補の測定を実行し、
・  前記新しい二次ノードの潜在的候補の前記測定を示す測定報告を含む第２のメッセージ（１２０３）を送信する、ＵＥ（１０５）。
【請求項２０】
請求項１９に記載のＵＥ（１０５）であって、前記第１のメッセージ（１２０２）は、前記マスタネットワークノード（１２０）から受信される、ＵＥ（１０５）。
【請求項２１】
請求項１９乃至２０のいずれか一項に記載のＵＥ（１０５）であって、前記ＵＥ（１０５）は、適切な周波数間の測定を実行するように構成される、ＵＥ（１０５）。
【請求項２２】
請求項１９乃至２１のいずれか一項に記載のＵＥ（１０５）であって、前記第１のメッセージ（１２０２）は、前記ＵＥ内のＲＲＣエンティティによって受信される、ＵＥ（１０５）。
【請求項２３】
請求項１９乃至２２のいずれか一項に記載のＵＥ（１０５）であって、前記ＵＥ（１０５）は、ＲＲＣパケットデータユニット（ＰＤＵ）の形で前記測定構成を受信する、ＵＥ（１０５）。
【請求項２４】
請求項１９乃至２３のいずれか一項に記載のＵＥ（１０５）であって、前記第２のメッセージ（１２０３）は、前記マスタネットワークノード（１２０）に送信される、ＵＥ（１０５）。
【請求項２５】
請求項１９乃至２４のいずれか一項に記載のＵＥ（１０５）であって、前記ＵＥ（１０５）は、前記二次ネットワークに転送されるコンテナ内に前記測定報告を含む前記第２のメッセージ（１２０３）を生成する、ＵＥ（１０５）。
【請求項２６】
請求項１９乃至２５のいずれか一項に記載のＵＥ（１０５）であって、前記第１のメッセージ（１２０２）および前記第２のメッセージ（１２０３）はＲＲＣメッセージである、ＵＥ（１０５）。
【請求項２７】
請求項１９乃至２６のいずれか一項に記載のＵＥ（１０５）であって、さらに、
・  接続再構成を含む第３のメッセージ（６１３、７１５）を受信し、
・  接続再構成完了確認を含む第４のメッセージ（６１５、７１７）を送信する、ＵＥ（１０５）。
【請求項２８】
請求項２７に記載のＵＥ（１０５）であって、前記第３のメッセージおよび前記第４のメッセージはＲＲＣメッセージである、ＵＥ（１０５）。
【請求項２９】
請求項２７乃至２８のいずれか一項に記載のＵＥ（１０５）であって、前記第３のメッセージは、前記マスタネットワークノード（１２０）から受信される、ＵＥ（１０５）。
【請求項３０】
請求項２７乃至２９のいずれか一項に記載のＵＥ（１０５）であって、前記第３のメッセージ（６１３，７１５）は、前記ターゲット二次ネットワークノード（１１０Ｂ）により生成された二次ノード構成を含む、ＵＥ（１０５）。
【請求項３１】
請求項２７乃至３０のいずれか一項に記載のＵＥ（１０５）であって、前記第４のメッセージ（６１５、７１７）は、前記マスタネットワークノード（１２０）に送信される、ＵＥ（１０５）。
【請求項３２】
請求項１乃至３１のいずれか一項に記載のＵＥ（１０５）であって、前記第４のメッセージは、前記ターゲット二次ネットワークノード（１１０Ｂ）へと二次ノード接続再構成完了メッセージを送信することの指示を含む、ＵＥ（１０５）。
【請求項３３】
二次ネットワークノード（１１０Ａ）から新しい二次ネットワークノード（１１０Ｂ）への二次ネットワーク内のユーザ機器（ＵＥ）のコンテキストの転送のための方法であって、前記ＵＥ（１０５）は、マスタネットワークノード（１２０）および前記二次ネットワークノード（１１０Ａ）によってサービスされ、前記方法は、前記二次ネットワークノード（１１０Ａ）により実行される、
・  二次ネットワークノードの測定構成を示す第１のメッセージ（１２０２）の前記ＵＥへの送信を開始することと、
・  新しい二次ノードの潜在的候補の前記測定値を示す測定報告を含む第２のメッセージ（１２０３）を前記ＵＥ（１０５）から受信することと、を含む方法。
【請求項３４】
請求項３３に記載の方法であって、前記第１のメッセージ（１２０２）は、前記二次ネットワークノード（１１０Ａ）内のＲＲＣエンティティによって生成される、方法。
【請求項３５】
請求項３３乃至３４のいずれか一項に記載の方法であって、前記第１のメッセージ（１２０２）は、前記ＵＥ（１０５）に転送されるように、前記マスタネットワークノードへと送信される、方法。
【請求項３６】
請求項３３乃至３５のいずれか一項に記載の方法であって、前記測定構成は、前記ＵＥ（１０５）により測定すべき適切な周波数間を示す、方法。
【請求項３７】
請求項３３乃至３６のいずれか一項に記載の方法であって、前記測定構成は、ＲＲＣパケットデータユニット（ＰＤＵ）の形で送信される、方法。
【請求項３８】
請求項３３乃至３７のいずれか一項に記載の方法であって、前記第２のメッセージ（１２０３）は前記マスタネットワークノード（１２０）から受信され、前記第２のメッセージ（１２０３）は前記ＵＥ（１０５）の前記測定報告を含む、方法。
【請求項３９】
請求項３８に記載の方法であって、前記第２のメッセージ（１２０３）に含まれるコンテナから前記測定報告を取り出すことを含む、方法。
【請求項４０】
請求項３３乃至３９のいずれか一項に記載の方法であって、前記第１のメッセージおよび前記第２のメッセージはＲＲＣメッセージである、方法。
【請求項４１】
請求項３３乃至４０のいずれか一項に記載の方法であって、接続再構成メッセージ（６１３、７１５）を含む第３のメッセージ（６１３、７１５）のＵＥ（１０５）への送信を開始するために、前記ターゲット二次ネットワークノード（１１０Ｂ）により生成されたノード構成（６０５、７０７）を前記マスタネットワークノード（１０２）に送信することをさらに含む、方法。
【請求項４２】
請求項４１に記載の方法であって、前記第３のメッセージはRRC接続再構成メッセージである、方法。
【請求項４３】
請求項４１乃至４２のいずれか一項に記載の方法であって、接続再構成完了メッセージを含む第４のメッセージ（６１５、７１７）が、前記マスタネットワークノード（１２０）に送信される、方法。
【請求項４４】
請求項３３乃至４３のいずれか一項に記載の方法であって、前記二次ネットワークは新無線（ＮＲ）ネットワークであり、前記二次ネットワークノード（１１０Ａ）は、新無線ノードＢ（ＳｇＮＢ）である、方法。
【請求項４５】
請求項３３乃至４４のいずれか一項に記載の方法を実行するように適合されたネットワークノード（１１０Ａ）。
【請求項４６】
ターゲット二次ネットワークノード（１１０Ｂ）への二次ネットワーク内のＵＥコンテキストの転送を提供するように構成されたネットワークノード（１１０Ａ）であって、前記ＵＥ（１０５）はマスタネットワークノード（１２０）および前記ネットワークノードによってサービスされ、前記ネットワークノードは、送信機と、受信機と、メモリと、１つまたは複数のプロセッサを備えるデータ処理システムとを備え、前記メモリは前記１つまたは複数のプロセッサによって実行可能な命令を含み、前記ネットワークノードは、 
・  二次ネットワークノードの測定構成を示す第１のメッセージ（１２０２）の前記ＵＥへの送信を開始することと、
・  新しい二次ノードの潜在的候補の前記測定値を示す測定報告を含む第２のメッセージ（１２０３）を前記ＵＥ（１０５）から受信することと、を備えるネットワークノード（１１０Ａ）。
【請求項４７】
請求項４６に記載のネットワークノード（１１０Ａ）であって、前記第１のメッセージを生成するためにＲＲＣエンティティをさらに備える、ネットワークノード（１１０Ａ）。
【請求項４８】
請求項４６乃至４７のいずれか一項に記載のネットワークノード（１１０Ａ）であって、前記第１のメッセージ（１２０２）を、前記ＵＥ（１０５）に転送されるように、前記マスタネットワークノードへと送信するよう構成される、ネットワークノード（１１０Ａ）。
【請求項４９】
請求項４６乃至４８のいずれか一項に記載のネットワークノード（１１０Ａ）であって、前記測定構成内に、前記ＵＥ（１０５）により測定すべき適切な周波数間を示すよう構成される、ネットワークノード（１１０Ａ）。
【請求項５０】
請求項４６乃至４９のいずれか一項に記載のネットワークノード（１１０Ａ）であって、ＲＲＣパケットデータユニット（ＰＤＵ）の形で前記測定構成を送信するよう構成される、ネットワークノード（１１０Ａ）。
【請求項５１】
請求項４６乃至５０のいずれか一項に記載のネットワークノード（１１０Ａ）であって、前記ＵＥ（１０５）の前記測定報告を含む前記第２のメッセージを前記マスタネットワークノード（１２０）から受信するよう構成される、ネットワークノード（１１０Ａ）。
【請求項５２】
請求項５１に記載のネットワークノード（１１０Ａ）であって、前記第２のメッセージに含まれるコンテナから前記測定報告を取り出すよう構成される、ネットワークノード（１１０Ａ）。
【請求項５３】
請求項４６乃至５２のいずれか一項に記載のネットワークノード（１１０Ａ）であって、前記第１のメッセージおよび前記第２のメッセージはＲＲＣメッセージである、ネットワークノード（１１０Ａ）。
【請求項５４】
請求項４６乃至５３のいずれか一項に記載のネットワークノード（１１０Ａ）であって、接続再構成メッセージ（６１３、７１５）を含む第３のメッセージ（６１３、７１５）のＵＥ（１０５）への送信を開始するために、前記ターゲット二次ネットワークノード（１１０Ｂ）により生成されたノード構成（６０５、７０７）を前記マスタネットワークノード（１０２）に送信するようさらに構成される、ネットワークノード（１１０Ａ）。
【請求項５５】
請求項５４に記載のネットワークノード（１１０Ａ）であって、前記第３のメッセージはRRC接続再構成メッセージである、方法。
【請求項５６】
請求項５４乃至５５のいずれか一項に記載のネットワークノード（１１０Ａ）であって、接続再構成完了メッセージを含む第４のメッセージ（６１５、７１７）を前記マスタネットワークノード（１２０）に送信するよう構成される、ネットワークノード（１１０Ａ）。
【請求項５７】
請求項４６乃至５６のいずれか一項に記載のネットワークノード（１１０Ａ）であって、前記二次ネットワークは新無線（ＮＲ）ネットワークであり、前記二次ネットワークノード（１１０Ａ）は、新無線ノードＢ（ＳｇＮＢ）である、ネットワークノード（１１０Ａ）。
【発明の詳細な説明】
【技術分野】
【０００１】
[001] 本明細書では、ソース二次ネットワークノードからターゲット二次ネットワークノードへの二次ネットワーク内のユーザ機器（ＵＥ）コンテキストの転送を処理するための実施形態が開示され、特に、転送がロングタームエボリューション−新無線相互作用のために考慮され、さらに、特に、そのような転送のための測定処理が考慮される。
【背景技術】
【０００２】
[002] 第三世代パートナーシッププロジェクト（３ＧＰＰ）は、次世代移動体通信システム（別名、５Ｇ移動体通信システム、または簡単には「５Ｇ」）の開発および設計に関する作業を開始した。５Ｇは、今日の４Ｇネットワークの進化と、「新無線」（ＮＲ）として知られる新しいグローバルに標準化された無線アクセス技術の追加とを包含する。
【０００３】
[003] ＮＲに対する多種多様な要件は、多くの異なる搬送波周波数における周波数帯域が必要とされることを意味する。例えば、十分なカバレージを達成するために低帯域が必要とされ、要求される容量に到達するためには、より高い帯域（例えば、３０ＧＨｚ付近及びそれ以上のようなミリ波、ｍｍＷ）が必要とされる。高周波数では伝播特性はより厳しく、基地局（例えば、発展型ノードＢ、ｅＮＢ、またはＮＲノードＢ、ｇＮＢ）での高次ビームフォーミングが、十分なリンクバジェットに到達するために必要とされる。例えば、高い伝播損失を補償するために、より高い周波数では、狭いビーム送信及び受信スキームが必要とされることがある。所与の通信リンクについて、ビームは送信ポイント(ＴＲＰ)で適用されることができ(すなわち、送信（ＴＸ）ビーム）、かつビームはユーザ機器(ＵＥ)で適用されることができ(すなわち、受信（ＲＸ）ビーム）、これは、まとめて、「ビームペアリンク」（ＢＰＬ）または単に「リンク」と呼ばれる。
【０００４】
[004] ＮＲはビーム中心設計を有し、これは、従来のセルコンセプトが緩和され、ユーザ機器（ＵＥ）（固定または移動体無線通信デバイス）が多くの場合接続され、セルではなく狭ビーム間で「ハンドオーバ」を実行することを意味する。したがって、３ＧＰＰは、ビーム間のモビリティ（送信ポイント（ＴＲＰ）内および送信ポイント間の両方）を処理するための概念を研究することに同意した。以下では、そのようなモビリティがビームベースのモビリティとも呼ばれ、潜在的に多数のモビリティビームはハンドオーバをＬＴＥのハンドオーバよりもはるかに複雑にする；例えば、ＵＥがすべての可能なビームの電力測定を実行することは実行不可能であり；その代わりに、ネットワークにおいてＵＥによって測定されるべき最適なビームの事前選択があってよい。
【０００５】
[005] 次世代（ＮＧ）アーキテクチャ（ＴＲ ２３．７９９、Study on architecture for Next Generation参照、これはその全体が参照により本明細書に組み込まれる）、より具体的にはＮＧアクセス技術（ＴＲ ３８．９１３、Study on Scenarios and Requirements for Next Generation Access Technologies参照、これはその全体が参照により本明細書に組み込まれる）に対する要件全体が、５Gの設計（ＲＰ−１６０６７１、New SID Proposal：Study on New Radio Access Technology, DoCoMo、これはその全体が参照により本明細書に組み込まれる）に、モビリティから制御プレーン設計および機構まで影響を及ぼし得る。
【発明の概要】
【発明が解決しようとする課題】
【０００６】
[006] 本発明の目的は、ロングタームエボリューション(ＬＴＥ)(例えば、発展型ノードＢ(ｅＮＢ))、ＮＲ無線ノード（例えば、ｇＮＢ）エンティティ、およびユーザ機器間のモビリティ処理などの基本無線リソース管理（ＲＲＭ）機能を設計することである。
【０００７】
[007] この目的は、独立請求項によって達成される。有利な実施形態は、従属請求項および以下の説明に記載されている。
【０００８】
[008] 実施形態は、ソース二次ノードおよび／またはターゲット二次ノードのＲＲＣプロトコルが部分的に二次ノード変更を担当する、二次ノード変更および新しい二次ノードの再構成に関する。提案される実施形態の利点は、ＬＴＥ−ＮＲ相互作用の場合にＭｅＮＢとＳｇＮＢの間、またはＭｇＮＢとＳｅＮＢとの間でモビリティ管理／制御を分散することによって、ＬＴＥ仕様におけるＮＲ関連モビリティ測定構成および手順の仕様の最小化、ならびにその逆を含み得る。さらなる利点は、LTEのeNBがＮＲ関連モビリティ手順およびアルゴリズムを実装する必要がないことである。
【０００９】
[009] 一実施形態によれば、ソース二次ネットワークノードからターゲット二次ネットワークノードへの二次ネットワーク内のユーザ機器（ＵＥ）コンテキストの転送のための方法が提供され、ＵＥはマスタネットワークノードおよびソース二次ネットワークノードによってサービスされ、この方法はＵＥによって実行される以下のステップを含む。
* 二次ネットワークノード測定構成を示す第１のメッセージを受信し、
* 前記測定構成に基づいて、ターゲット二次ネットワークノードの潜在的候補の測定を実行し、
* ターゲット二次ノードの潜在的候補の前記測定を示す測定報告を含む第２のメッセージを送信する。
【００１０】
[0010] 一実施形態によれば、ユーザ機器が提供され、前記ＵＥは、上述の方法を実行するように構成される。
【００１１】
[0011] 一実施形態によれば、ソース二次ネットワークノードからターゲット二次ネットワークノードへの二次ネットワーク内のユーザ機器（ＵＥ）コンテキストの転送をサポートするように構成されたＵＥが提供され、前記ＵＥはマスタネットワークノードおよびソース二次ネットワークノードによってサービスされ、前記ＵＥは送信機と、受信機と、メモリと、１つまたは複数のプロセッサを備えるデータ処理システムとを備えるように構成され、前記ＵＥは以下のステップを実行するように構成される。
* 二次ネットワークノード測定構成を示す第１のメッセージを受信し、
* 前記測定構成に基づいて、ターゲット二次ネットワークノードの潜在的候補の測定を実行し、
* ターゲット二次ノードの潜在的候補の前記測定を示す測定報告を含む第２のメッセージを送信する。
【００１２】
[0012] 一実施形態によれば、ソース二次ネットワークノードからターゲット二次ネットワークノードへの二次ネットワーク内のユーザ機器（ＵＥ）コンテキストの転送のための方法が提供され、ＵＥはマスタネットワークノードおよびソース二次ネットワークノードによってサービスされ、この方法は前記ソース二次ネットワークノードによって実行される以下のステップを含む。
* 二次ネットワークノード測定構成を示す第１のメッセージの前記ＵＥへの送信を開始し、
* ターゲット二次ノードの潜在的候補の前記測定を示す測定報告を含む第２のメッセージを前記ＵＥから受信する。
【００１３】
[0013] 一実施形態によれば、上述の方法を実行するように構成されたネットワークノードが提供される。
【００１４】
[0014] 一実施形態によれば、ターゲット二次ネットワークノードへの二次ネットワーク内のＵＥコンテキストの転送を提供するように構成されたネットワークノードが提供され、前記ＵＥはマスタネットワークノードおよび前記ネットワークノードによってサービスされ、前記ネットワークノードは送信機と、受信機と、メモリと、１つまたは複数のプロセッサを備えるデータ処理システムとを備えるように構成され、前記ネットワークノードは以下のステップを実行するように構成される。
【００１５】
[0015] 二次ネットワークノード測定構成を示す第１のメッセージの送信を開始し、
[0016] ターゲット二次ノードの潜在的候補の前記測定を示す測定報告を含む第２のメッセージを前記ＵＥから受信する。
【図面の簡単な説明】
【００１６】
[0017] 実施形態のさらなる詳細は、図面を参照して説明される。
【図１】[0018] 図１は、いくつかの実施形態による例示的な無線通信システムを示す。
【図２】[0019] 図２は、従来技術のシグナリング図を示す。
【図３】[0020] 図３は、従来技術のシグナリング図を示す。
【図４】[0021] 図４は、従来技術のシグナリング図を示す。
【図５】[0022] 図５は、従来技術のシグナリング図を示す。
【図６】[0023] 図６は、いくつかの実施形態によるシグナリング図を示す。
【図７】[0024] 図７は、いくつかの実施形態によるシグナリング図を示す。
【図８】[0025] 図８は、いくつかの実施形態による例示的なフローチャートを示す。
【図９】[0026] 図９は、いくつかの実施形態による例示的なフローチャートを示す。
【図１０】[0027] 図１０は、いくつかの実施形態による二次ネットワークノードのブロック図である。
【図１１】[0028] 図１１は、いくつかの実施形態によるマスタネットワークノードのブロック図である。
【図１２】[0029] 図１２は、いくつかの実施形態によるシグナリング図を示す。
【発明を実施するための形態】
【００１７】
[0030] 図１は、いくつかの実施形態による例示的な無線通信システムを示す。無線通信システム１００は、ユーザ機器１０５（すなわち、固定または移動体無線通信デバイス）と、マスタ無線リソース制御（ＲＲＣ）ネットワークノード１２０および複数の二次ＲＲＣネットワークノード１１０Ａ−Ｂを含む１つまたは複数の基地局とを備えることができる。いくつかの実施形態では、マスタネットワークノード１２０および二次ネットワークノード１１０Ａ−Ｂがコアネットワーク１３０とさらに通信する。いくつかの実施形態では、マスタネットワークノード１２０が、ＬＴＥネットワークで知られているようなマスタ発展型ノードＢ（本明細書ではＭｅＮＢと呼ばれる）を備えることができ、二次ネットワークノード１１０Ａ−Ｂは次世代／５Ｇアクセス技術のための二次新無線(ＮＲ)ＲＲＣエンティティ（本明細書ではＳｇＮＢと呼ばれる）を備えることができる。他の実施形態では、マスタネットワークノード１２０がマスタＮＲネットワークノード（本明細書ではＭｇＮＢと呼ぶ）を備えることができ、二次ネットワークノード１１０Ａ−Ｂは二次ｅＮＢ（本明細書ではＳｅＮＢと呼ぶ）を備えることができる。
【００１８】
[0031] いくつかの実施形態では、マスタネットワークノード１２０がリンク１１５Ａによって示されるように、ＵＥ１０５にサービスを提供することができる。いくつかの実施形態では、二次ネットワークノード１１０Ａ−Ｂが、サービングセルなど、ＵＥ１０５のための追加のリソースをさらに提供することができる。例えば、二次ネットワークノード１１０Ａ−Ｂは、受信した測定報告、トラフィック状態、またはベアラタイプに基づいて、追加のリソースを提供することができる。したがって、いくつかの実施形態では、ＵＥ１０５が、リンク１１５Ａおよび１１５Ｂによって示されるように、マスタネットワークノード１２０およびソース二次ネットワークノード１１０Ａの両方によってサービスされ得る。しかし、いくつかの実施形態では、ソース二次ネットワークノード１１０Ａからターゲット二次ネットワークノード１１０Ｂに切り替えることが望ましい場合があり、その場合、ＵＥはリンク１１５Ａおよび１１５Ｃによって示されるように、二次ネットワークノード転送の後に、マスタネットワークノード１２０およびターゲット二次ネットワークノード１１０Ｂの両方によってサービスされ得る。 
[0032] LTEデュアルコネクティビティ 
[0033] ＬＴＥデュアルコネクティビティ（ＤＣ）では、マスタネットワークノードと二次ネットワークノード（ＭｅＮＢ１２０およびＳｅＮＢ１１０Ａ）との間の相互理解度のおかげで、ＭｅＮＢ１２０はモビリティ手順のためにＵＥ１０５のＲＲＭ測定構成を維持することができる。さらに、ＭｅＮＢ１２０は例えば、マスタネットワークノード１２０に位置するＲＲＣエンティティにより解釈することが簡単であるので、例えば受信された測定レポートまたはトラフィック状態またはベアラタイプに基づいて、ＵＥ１０５に追加のリソース（サービングセル）を提供するようにＳｅＮＢ１１０Ａに要求することを決定することができる。したがって、モビリティは、ＬＴＥ ＤＣの場合、ＭｅＮＢ１２０によって主に調整することができる。
【００１９】
[0034] 図２−図５は、３GPP TS ３６．３００に基づくLTE  DCのための従来技術の信号図であり、その全体が参照により本明細書に組み込まれる。図２に示すように、ＬＴＥ ＤＣのためのＳｅＮＢの追加手順はＭｅＮＢ１２０によって開始され、ＳｅＮＢ１１０ＡからＵＥ１０５に無線リソースを提供するために、ＳｅＮＢ１１０ＡにおいてＵＥコンテキストを構築するために使用される。この手順は、ＬＴＥ ＤＣの場合、少なくとも第１のセル、すなわち、二次セルグループ（ＳＣＧ）のＰＳＣｅｌｌを追加するために使用される。図２に示すように、ＭｅＮＢ１２０は、ＳｅＮＢ要求（ＳＣＧ−ＣｏｎｆｉｇＩｎｆｏを搬送する）メッセージである第１のメッセージ２０１を送信することができる。ＳＣＧ構成情報は、ＭｅＮＢ１２０構成と、ＳｅＮＢによる再構成のための基礎として使用されるＵＥ能力調整のためのＵＥ１０５の能力全体とを含むことができる。次に、ＳｅＮＢ１１０Ａは、ＳｅＮＢ追加要求承諾(SCG−Ｃｏｎｆｉｇを搬送する）メッセージである第２のメッセージ２０３を送信することができる。ＳＣＧ−Ｃｏｎｆｉｇは、無線構成情報およびデータ転送アドレス情報（適用可能な場合）を含む、ＳＣＧの新無線リソースを含むことができる。次に、ハンドオーバを実行するために、ＭｅＮＢ１２０は、ＲＲＣ接続再構成メッセージである第３のメッセージ２０５をＵＥ１０５に送信することができる。次に、ＵＥ１０５は、ＲＲＣ接続再構成完了メッセージを含む第４のメッセージ２０７をＭｅＮＢ１２０に返信することができる。最後に、ＭｅＮＢ１２０は、再構成完了メッセージを含む第５のメッセージ２０９をＳｅＮＢ１１０Ａに送信することができる。
【００２０】
[0035] 図３−図４は、LTE DCのためのＳｅＮＢ１１０Ａ解放手順を示す。ＳｅＮＢ解放手順は、ＭｅＮＢ１２０またはＳｅＮＢ１１０Ａのいずれかによって開始することができ、ＳｅＮＢにおいてＵＥコンテキストの解放を開始するために使用される。この要求の受信側ノードは拒絶することができない。ＳｅＮＢ解放手順は、必ずしも、ＵＥに向かうシグナリング、例えば、ＭｅＮＢ１２０における無線リンク障害に起因するＲＲＣ再接続再確立を含む必要はない。図３はＭｅＮＢ１２０によって開始される解放手順を示し、図４は、ＳｅＮＢ１１０Ａによって開始される解放手順を示す。図３に示すように、ＭｅＮＢ１２０は第１のメッセージ３０１をＳｅＮＢ１１０Ａに送信することによって、ＳｅＮＢ１１０Ａの解放手順を開始し、第１のメッセージは、ＳｅＮＢ解放要求である。ＳｅＮＢ解放要求は、ソースＳｅＮＢ１１０Ａをトリガして、ＵＥ１０５へのユーザデータの提供を停止し、適用可能であれば、データ転送を開始することができる。次いで、ＭｅＮＢ１２０はＲＲＣ接続再構成を含むメッセージ３０３をＵＥ１０５に送信し、ＵＥは、ＲＲＣ接続再構成完了を確認するメッセージ３０５をＭｅＮＢ１２０に応答して送信する。図４に示すように、ＳｅＮＢ１１０Ａは、必要なＳｅＮＢ解放要求済みを含む第１のメッセージ４０１をＭｅＮＢ１２０に送信することによって、解放手順を開始する。次いで、ＭｅＮＢ１２０は、ＳｅＮＢ解放確認を含むメッセージ４０３をＳｅＮＢ１１０Ａに送信する。次いで、ＭｅＮＢ１２０はＲＲＣ接続再構成を含むメッセージ405をＵＥ１０５に送信し、ＵＥは、ＲＲＣ接続再構成完了を確認するメッセージ４０７をＭｅＮＢ１２０に応答して送信する。
【００２１】
[0036] 図５は、どのようにＳｅＮＢ変更手順がＭｅＮＢ１２０によって開始され、ソースＳｅＮＢ１１０ＡからターゲットＳｅＮＢ１１０ＢにＵＥコンテキストを転送するために使用されることができるか、ならびにソースＳｅＮＢ１１０ＡからターゲットＳｅＮＢ１１０ＢにＵＥ内のＳＣＧ構成を変更するために使用されることができるかを示す。図５に示されるように、LTE SeNB変更手順は、ソースＳｅＮＢ１１０Ａを介してターゲットＳｅＮＢ１１０Ｂに向かってメッセージ５０１、ＳｅＮＢ追加要求を送信するＭｅＮＢ１２０によって開始され得る。これに応答して、ターゲットＳｅＮＢ１１０Ｂは、メッセージ５０３、ＳｅＮＢ追加要求承諾を、ソースＳｅＮＢ１１０Ａを介してＭｅＮＢ１２０に向けて送信することができる。ＭｅＮＢ１２０は、受信者ＳｅＮＢ１１０Ａが拒絶することができないメッセージ５０５、ＳｅＮＢ解放要求をソースＳｅＮＢ１１０Ａに送信することができる。次いで、ＭｅＮＢ１２０は、メッセージ５０７、ＲＲＣ接続再構成メッセージをＵＥ１０５に向けて送信することができ、それに応答して、メッセージ５０９、ＲＲＣ接続再構成完了メッセージをＵＥ１０５から受信することができる。ＭｅＮＢ１２０はさらに、メッセージ５１１、ＳｅＮＢ再構成完了メッセージをターゲットＳｅＮＢ１１０Ｂに向けて送信することができる。
【００２２】
[0037] ＬＴＥ−ＮＲ相互作用の場合の二次ノード構成
[0038] 二次ノード変更、またはノード変更、または解放手順の場合、マスタノードは、必ずしも、二次ノードのためのＵＥの無線リソース管理（ＲＲＭ）測定構成を維持する必要はなく、最終的なＲＲＣメッセージを生成するだけでよい。マスタノードから送信されるＲＲＣメッセージは、二次ノード内のＲＲＣエンティティによって準備されたＲＲＭ測定構成のＲＲＣ ＰＤＵを含むことができる。マスタノードがＲＲＭ測定構成を理解する必要があるか否かは、実装に委ねられてよい。
【００２３】
[0039] 二次ノード変更、ノード変更、または解放手順の場合、二次ノード内のモビリティに関連するＲＲＭ測定報告は、マスタノード（マスタノードのＲＲＣエンティティ）によって最終ＲＲＣメッセージで受信することができる。第１のオプションでは、マスタノードが情報を解析する必要なく、ＲＲＭ測定報告を含むＲＲＣメッセージのＮＲ部分を、例えばＸ２＊インターフェースを介して、例えばコンテナによって、二次ノードに（例えば、二次ノードに位置するＲＲＣエンティティに）転送することができる。第２のオプションでは、二次ノードとＵＥとの間で直接ＳＲＢが許可される場合、測定報告はＵＥと二次ノードとの間で直接送信されてもよい。
【００２４】
[0040] 図５および図６は、二次ノード変更および新しい二次ノードの再構成のための、例えばオプションＡおよびオプションＢと呼ばれる２つのオプションを示し、二次ノードのＲＲＣプロトコルは、二次ノード変更を部分的に担当する。
【００２５】
[0041] 両方のオプションにおいて、ＬＴＥ ＤＣとは異なり、二次ノード変更（ＳｇＮＢ）はマスタノード（ＭｅＮＢ）の代わりに二次ノード（例えば、Ｓ−ＳｇＮＢ）によって開始されてもよい。ＮＲモビリティはＬＴＥにおけるモビリティとは異なることが予想されるので、モビリティアルゴリズムはビームベースのモビリティに対処することができる。
【００２６】
[0042] オプションＡではすべての二次ノード（ＳｇＮＢ）変更シグナリングがマスタノード（ＭｅＮＢ）を通過しなければならないわけではないが、オプションＢでは二次ノード（ＳｇＮＢ）変更に関連するすべてのシグナリングがマスタノード（ＭｅＮＢ）を介して進行し、すべてのシグナリングステップを理解することを可能にするが、マスタノードがシグナリングをどのくらい深く理解するかは実装に依存してよい。いずれの場合も、手順がマスタノード（ＭｅＮＢ）によって中断されない場合、ターゲット二次ノード（例えば、Ｔ−ＳｇＮＢ）、構成情報、例えば、ＮＲ構成情報（NR-Configuration Information）（または簡単にＮＲ構成情報（NR-Config Info））が、ＭｅＮＢからの最終ＲＲＣメッセージを介してＵＥに送信される。
【００２７】
[0043] したがって、ターゲット二次ノード構成情報（Ｔ−ＳｇＮＢ ＮＲ構成情報）は、最終的なＬＴＥ ＲＲＣメッセージでそのような構成情報をＵＥに送信するＭｅＮＢに対して（完全にまたは部分的に）透過的であり得る。
【００２８】
[0044] ＬＴＥ−ＮＲ二次ネットワークノード変更 
[0045] ＲＲＣダイバーシティは例えば、超高信頼性および低レイテンシ通信（ＵＲＬＬＣ）およびモビリティロバスト性に関連する前述の課題に対処するために、ダウンリンクおよびアップリンクの両方について想定され得る。
【００２９】
[0046] ＮＲ  ＲＲＭは上述のビームベースのモビリティのために、ＬＴＥ  ＲＲＭとは異なることが予想される。特に、ＮＲ  ＲＲＭ測定構成、測定報告イベント、およびトリガは、ＬＴＥモビリティのために既に指定されたものとは異なり得る。例えばＮＲスタンドアロン動作が考慮される場合に、例えば将来性のあるＮＲ  ＲＲＭ設計を可能にするために、例えばＬＴＥおよびＮＲ  ＲＲＭを自己完結型に維持することが好ましい場合がある。
【００３０】
[0047] 以下では、ソース二次ネットワークノードおよび／またはターゲット二次ネットワークノードのＲＲＣプロトコルが部分的に二次ネットワークノード変更を担当する、二次ネットワークノード変更および新しい二次ネットワークノードの再構成に関する一組の実施形態例を説明する。ＬＴＥ仕様におけるＮＲ関連モビリティ測定構成の仕様の最小化、およびその逆は、ＬＴＥ−ＮＲ相互作用の場合、ＭｅＮＢ１２０とＳｇＮＢ１１０Ａ−Ｂ（またはＭｇＮＢ１２０とＳｅＮＢ１１０Ａ−Ｂ）との間でモビリティ管理／制御を分散することによって達成され得る。
【００３１】
[0048] 本明細書では、図６−図７に示すように、ソース二次ネットワークノードおよび／またはターゲット二次ネットワークノードのＲＲＣプロトコルが部分的に二次ネットワークノード変更を担当する、二次ネットワークノード変更および新しい二次ネットワークノードの再構成のための２つの主なオプションを提案する。これらのオプションは、例えばＳｇＮＢ変更がＭｅＮＢ１２０の代わりにＳ−ＳｇＮＢ１１０Ａによって開始されるので、上述のようにＬＴＥ  ＤＣとは異なる。さらに、両方のオプションにおいて、ターゲットＳｇＮＢ構成は、ＭｅＮＢに対して透過的であってよい。ＮＲモビリティはＬＴＥとは異なることが予想され、モビリティアルゴリズムはビームベースのモビリティであり得るので、ＳｇＮＢ変更はＳ−ＳｇＮＢ１１０Ａによって開始されることが望ましいことがある。ＮＲモビリティを決定するエンティティは５Ｇ  ＲＡＮのＮＲ部分、すなわち、ｇＮＢ内に存在してよく、それは、近隣におけるＮＲ無線リソーストポロジ、現在のＮＲ無線リソースステータス、およびＮＲ関連ＵＥ測定の制御および処理に関する知識を含んでよいことが予想され得る。以下で説明する手順は、５Ｇ  ＲＡＮのＬＴＥおよびＮＲ関連論理ノードが「Ｘ２*」と呼ばれるインターフェースを介して相互接続された、異なる別個の論理エンティティである解決策を提案する。
【００３２】
[0049] 第１に、図６のＭｅＮＢ１２０などのマスタネットワークノード１２０は、１つまたは複数の適切な候補をＳｇＮＢであると決定する。これは、ダウンリンク（ＤＬ）測定値またはアップリンク（ＵＬ）測定値に基づいてよい。
【００３３】
[0050] ＤＬ測定ベースの手順の場合、ＳｇＮＢは、測定に適した周波数間を含むＵＥのための適切な測定構成を決定する。さらに、測定ギャップの必要性は、ＵＥ能力に基づいて決定され得る。ＳｇＮＢは、測定（ＲＲＣ）構成を構築する。構成は、直接またはＭｅＮＢを介してＵＥに送信される。第１の解決策は、ＳｇＮＢとＵＥとの間の直接ＳＲＢがサポートされる場合にのみ可能である。後者の解決策では、ＭｅＮＢが最終ＲＲＣメッセージをＵＥに送信する。ＵＥが新しいＳｇＮＢの潜在的候補を測定した後、ＵＥは、測定報告をネットワークに送信する。これは、ＵＥとＳｇＮＢとの間のＳＲＢがサポートされる場合に、ＳｇＮＢに直接送信してよい。測定報告がＭｅＮＢに送信される場合、ＭｅＮＢは、測定結果をＸ２またはＸ２*を介してＳｇＮＢに転送する。
【００３４】
[0051] ＵＬ測定に基づく手順の場合、ＳｇＮＢを変更する決定は、元のＳｇＮＢにおいて実行されてもよい。ＵＥは、モビリティのために使用されるＵＬ信号で潜在的に構成され得る。信号は、ＳＲＳと同様であってもよい。解決策に応じて、ＵＬ信号構成は、ＲＲＣを介してＭｅＮＢまたはＳｇＮＢに直接送信することができる。ＳｇＮＢはＵＥからＵＬ信号を直接受信することができ、それに基づいて、ＳｇＮＢ変更のための適切な候補（複数可）を決定することができる。ＭｅＮＢがＵＬ信号を受信する場合、ＭｅＮＢは、測定結果をＳｇＮＢに転送してよい。
【００３５】
[0052] 図１１は、上述の測定構成に関する例示的なシグナリング図を示す。マスタネットワークノード１２０は、現在の（またはソースの）二次ネットワークノード、例えばＳ−ＳｇＮＢ１１０Ａによって構築された測定構成情報１２０１を受信する。マスタネットワークノード１２０は受信した測定構成を含む最終ＲＲＣメッセージ１２０２を構築し、それをＵＥ１０５に送信する。測定構成に基づいて、ＵＥ１０５は新しい二次ネットワークノード例えばＴ−ＳｇＮＢ１１０Ｂの潜在的候補の測定を実行する。最後に、ＵＥは、新しい二次ノードの潜在的候補の測定値を示す測定報告を含む測定報告メッセージ１２０３で応答する。マスタネットワークノードは、測定結果を含む測定報告１２０４を、測定報告に基づいて、新しい（またはターゲット）二次ネットワークノード１１０Ｂを決定する現在の（またはソース）二次ネットワークノード１１０Ａに送信する。
【００３６】
[0053] ターゲットＳｇＮＢが決定されると、ＳｇＮＢを変更するためのシグナリングが、図６または図７に関連して以下に説明するように行われる。
【００３７】
[0054] 図６に示すように、ＳｇＮＢ変更は、ＳｇＮＢハンドオーバ要求メッセージであるメッセージ６０１を、ＭｅＮＢ１２０を通過することなくＴ−ＳｇＮＢ１１０Ｂに送信するＳ−ＳｇＮＢ１１０Ａによって開始される。ハンドオーバ要求６０１メッセージ内に含まれるＮＲ構成情報は、ＬＴＥにおけるＬＴＥ  ＳＣＧ構成情報および／またはハンドオーバ要求を介して実行される動作と同様に、Ｔ−ＳｅＮＢ１１０Ｂに特定の構成動作を実行するように要求するために、Ｓ−ＳｇＮＢ１１０Ａによって使用され得る。次に、Ｔ−ＳｇＮＢ１１０ＢはＮＲ構成、例えば、ＮＲ構成を含むＳｇＮＢハンドオーバ応答メッセージをメッセージ６０３でＳ−ＳｇＮＢ１１０Ａに返信する。ＮＲ構成は、Ｔ−ＳｇＮＢ１１０Ｂに関連する新しい無線リソースを含んでいてよい。次に、Ｓ−ＳｇＮＢ１１０Ａは、ＮＲ構成情報と共にメッセージ６０５をＭｅＮＢ１２０に送信する。メッセージ６０５は、Ｔ−ＳｇＮＢ１１０ＢとのＵＥ１０５のＲＲＣ再構成を可能にするために、図６においてＳｇＮＢ変更要求と呼ばれるＸ２*  ＡＰメッセージであってもよい。同じＸ２*  ＡＰメッセージ６０５は、ＳｇＮＢ変更を首尾よく実行し、ＵＥ１０５に向かうユーザプレーンデータフローをアクティブ化することができるように、ユーザプレーンスイッチに関する情報を含むことができる。ＮＲ構成メッセージ（例えば、ＮＲ−Ｃｏｎｆｉｇ）は、Ｔ−ＳｇＮＢ１１０Ｂによって生成された無線構成を転送するために使用され得る。メッセージ６０５を介してＮＲ構成を受信すると、ＭｅＮＢ１２０は、（ｉ）中断してＳｇＮＢ変更拒否であるメッセージ６０７をＳ−ＳｇＮＢ１１０Ａに送信することができ、次いでＳ−ＳｇＮＢ１１０ＡはＳｇＮＢ変更拒否であるメッセージ６０９をＴ−ＳｇＮＢ１１０Ｂに送信するか、または（ｉｉ）ＳｇＮＢ解放要求であるメッセージ６１１をＳ−ＳｇＮＢ１１０Ａに送信することによって進行することができる。第２の例では、ＭｅＮＢ１２０が、ＲＲＣ接続再構成メッセージであるメッセージ６１３をＵＥ１０５に送信することを含むＲＲＣ接続再構成ステップを実行することができ、ＵＥ１０５は、ＲＲＣ接続再構成完了メッセージであるメッセージ６１５をＭｅＮＢ１２０に送信し、ＭｅＮＢ１２０は、ＳｇＮＢ転送手順を完了するために、ＳｇＮＢ再構成完了メッセージであるメッセージ６１７をＴ−ＳｇＮＢ１１０Ｂに送信する。
【００３８】
[0055] 図７は、いくつかの実施形態による第２のシグナリング図を示す。図７に示すように、ＳｇＮＢ変更手順はＳ−ＳｇＮＢ１１０Ａによって開始されるが、シグナリングはＭｅＮＢ１２０を介して行われる。Ｓ−ＳｇＮＢ１１０Ａは、ＮＲ構成情報メッセージとともにＳｇＮＢ変更要求であるメッセージ７０１をＭｅＮＢ１２０に送信することによって、ＳｇＮＢ変更手順を開始する。次いで、ＭｅＮＢ１２０は、ＳｇＮＢ変更拒否メッセージであるメッセージ７０３を送信することによってＳｅＮＢ変更を拒否することができ、または、ＳｇＮＢ追加要求（ＮＲ構成情報を含む）メッセージであるメッセージ７０５をＴ−ＳｇＮＢ１１０Ｂに向けて送信することによって変更を続行することができる。後者の場合、Ｔ−ＳｇＮＢ１１０Ｂは、ＭｅＮＢ１２０に向かって、Ｔ−ＳｇＮＢ１１０ＢのためのＮＲ構成情報を含むＳｇＮＢ追加要求承諾メッセージであるメッセージ７０７を送信することによって、メッセージ７０５に応答することができる。メッセージ７０７に応答して、ＭｅＮＢ１２０は、ＳｇＮＢ変更要求承諾（ＮＲ構成情報を含む）であるメッセージ７１１をＳ−ＳｇＮＢ１１０Ａに送信するのみならず、ＳｇＮＢ解放要求メッセージであるメッセージ７１３をＳ−ＳｇＮＢ１１０Ａに送信することができる。ＭｅＮＢ１２０は、ＲＲＣ接続再構成メッセージであるメッセージ７１５をＵＥ１０５に送信することを含むＲＲＣ接続再構成ステップを実行することができ、ＵＥ１０５は、ＲＲＣ接続再構成完了メッセージであるメッセージ717をＭｅＮＢ１２０に送信し、ＭｅＮＢ１２０は、ＳｇＮＢ転送手順を完了するために、ＳｇＮＢ再構成完了メッセージであるメッセージ７１９をＴ−ＳｇＮＢ１１０Ｂに送信する。
【００３９】
[0056] 実装および、ＭｅＮＢ１２０が部分的にまたは完全に理解することができるメッセージ、例えばＳｇＮＢ変更要求またはＳｇＮＢ追加要求承諾に応じて、ＭｅＮＢ１２０は図６に示される他のオプションと比較して、図７に示されるように、手続きをより早く中断する、例えばＳｅＮＢ変更を進める／拒絶することができる。しかし、いくつかの実施形態では、各信号にＭｅＮＢ１２０を通過させることが、ＳｇＮＢ変更手順のためのシグナリングオーバーヘッドおよびレイテンシを増大させ得る場合に、図６に示される手順がより望ましい場合がある。他方、例えば、ＭｅＮＢによって制御されるＲＲＣ接続のモビリティが考慮される必要があるという事実のために、中央エンティティが、全体的なモビリティ挙動およびそれぞれのＲＲＭ戦略を監視することを可能にすることも有利であり得る。それとは別に、図７に示す第２のオプションは、既存のＬＴＥフレームワークを再利用することができる。
【００４０】
[0057] いくつかの実施形態ではＮＲ構成メッセージ、例えば、メッセージ６０３、７０６中のＮＲ構成情報は、ＵＥ  ＲＲＣエンティティとＮＲ  ＲＲＣエンティティとの間で転送されるＲＲＣプロトコルデータユニット（ＰＤＵ）であってもよい。さらに別の実施形態では、そのような情報がＬＴＥ  ＤＣにおけるＳＣＧ構成に類似した情報要素（ＩＥ）によって含まれ得る。
【００４１】
[0058] 別のオプション／実施形態では、図６−図７に示されるようなＬＴＥ−ＮＲ相互作用シナリオが、ＮＲノードがマスタネットワークノード１２０（すなわち、ＭｇＮＢ１２０）であり、ＬＴＥノードがソースおよびターゲット二次ネットワークノード（すなわち、Ｓ−ＳｅＮＢ１１０ＡおよびＴ−ＳｅＮＢ１１０Ｂ、および／またはＳ−ＳｇＮＢおよびＴ−ＳｇＮＢ）であるような他の方法であってもよい。いくつかの実施形態では、構成をＭｅＮＢを介して転送する代わりに、Ｓ−ＳｇＮＢからＵＥに直接転送してもよい。別の実施形態では、関与する５Ｇ  ＲＡＮノードがＬＴＥおよびＮＲアクセスの両方をサポートするノードであってよく、したがって、各エンティティは、ＲＲＣメッセージを理解し、処理し、それぞれのＲＲＭ動作を実行する位置にあることができる。さらに、別の実施形態では、シナリオが図６−７に示すものと同じであってよく、ＭｅＮＢ１２０は、３ＧＰＰ  ＴＳ  ３６．３００に見られるように、既存のＬＴＥ  ＤＣ手順に従うことによって、ＳｇＮＢを並列に追加するか、またはＳｇＮＢを変更することができる。
【００４２】
[0059] 図８は、いくつかの実施形態による例示的なフロー図である。好適な実施形態では、方法８００が、ソース二次ネットワークノード１１０Ａから、ソース二次ネットワークノード１１０Ｂとは異なるターゲット二次ネットワークノード１１０ＢにＵＥコンテキストを転送するために、図１０に関連して説明したように、ソース二次ネットワークノード１１０Ａによって実行される。
【００４３】
[0060] ステップ８０１において、ソース二次ネットワークノード１１０Ａは第１のメッセージをターゲット二次ネットワークノード１１０Ｂに送信し、ターゲットネットワークノード１１０Ｂは、ターゲット二次ネットワークノード１１０Ｂの構成データを含む第２のメッセージをソース二次ネットワークノード１１０Ａに送信することによって、第１のメッセージに応答するように構成される。
【００４４】
[0061] ステップ８０３において、ソース二次ネットワークノード１１０Ａは、ターゲット二次ネットワークノード１１０Ｂによって送信された第２のメッセージを受信する。
【００４５】
[0062] ステップ８０５において、第２のメッセージを受信した後、ソース二次ネットワークノード１１０Ａはソース二次ネットワークノード１１０Ａからターゲット二次ネットワークノード１１０ＢへのＵＥコンテキストの転送を開始し、ＵＥコンテキストの転送を開始することは、ソース二次ネットワークノード１１０Ａが、ターゲット二次ネットワークノードの構成データを含む第３のメッセージをマスタネットワークノード１２０に送信することを含む。
【００４６】
[0063] いくつかの実施形態では、ステップ８０１における第１のメッセージが図６に示されるようなハンドオーバ要求メッセージ６０１を含んでよく、ハンドオーバ要求メッセージは１つまたは複数の構成動作を実行するようにターゲット二次ネットワークノード１１０Ｂに命令する。いくつかの実施形態では、方法８００のステップ８０１および８０３における第２のメッセージが図６に示すようなハンドオーバ要求承諾メッセージ６０３などのハンドオーバ応答メッセージを含んでよい。いくつかの実施形態では、第２のメッセージ内の構成データが、ＲＲＣ  ＰＤＵまたはＩＥのうちの１つであってもよいＮＲ構成情報を含んでもよい。いくつかの実施形態では、ソース二次ネットワークノード１１０Ｂが、マスタネットワークノード１２０が第３のメッセージを受信したことに応答して、マスタネットワークノード１２０によって送信された第４のメッセージを受信してよい。第４のメッセージは、図６に示すメッセージ６１１のような解放要求であってもよい。
【００４７】
[0064] 図9は、いくつかの実施形態による例示的なフローチャートである。好適な実施形態では、方法９００が、図１１に関連して以下に説明するように、マスタネットワークノード１２０によって実行される。
【００４８】
[0065] ステップ９０１において、マスタネットワークノード１２０はソース二次ネットワークノード１１０Ａによって送信された第１のメッセージを受信し、第１のメッセージは、ソース二次ネットワークノード１１０Ａからターゲット二次ネットワークノード１１０ＢへのＵＥコンテキストの転送を開始する要求を含む。いくつかの実施形態では、第１のメッセージが図７に示すメッセージ７０１などの変更要求を含むことができる。
【００４９】
[0066] ステップ９０３において、要求に応答して、マスタネットワークノード１２０は、第２のメッセージをターゲット二次ネットワークノード１１０Ｂに送信する。
【００５０】
[0067] ステップ９０５において、マスタネットワークノード１２０はターゲット二次ネットワークノード１１０Ｂから第３のメッセージを受信し、第３のメッセージは、ターゲット二次ネットワークノード１１０Ｂの構成データを含む。いくつかの実施形態では、ターゲット二次ネットワークノード１１０Ｂの構成データが、ＲＲＣ  ＰＤＵまたはＩＥのうちの１つを含むことがあるＮＲ構成情報を含むことができる。
【００５１】
[0068] いくつかの実施形態では、方法９００が、マスタネットワークノード１２０が図７に示すメッセージ７１１など、要求の承諾を二次ネットワークノード１１０Ａに送信することをさらに含んでよい。いくつかの実施形態では、方法９００が、マスタネットワークノード１２０が図７に示すメッセージ７１３などの解放要求をソース二次ネットワークノード１１０Ａに送信することをさらに含んでよい。いくつかの実施形態では、方法９００が、第３のメッセージの受信に応答してマスタネットワークノード１２０がＵＥ１０５にメッセージを送信することをさらに含んでよく、このメッセージは図７に示すメッセージ７１５などのＲＲＣ接続再構成（ＲＲＣＣｏｎｎｅｃｔｉｏｎＲｅｃｏｎｆｉｇｕｒａｔｉｏｎ）メッセージを含む。方法９００は、マスタネットワークノード１２０がＵＥ１０５からメッセージを受信することをさらに含んでよく、このメッセージは図７に示すメッセージ７１７などのＲＲＣ接続再構成完了（ＲＲＣＣｏｎｎｅｃｔｉｏｎＲｅｃｏｎｆｉｇｕｒａｔｉｏｎ Ｃｏｍｐｌｅｔｅ）メッセージを含む。いくつかの実施形態では、方法９００が、マスタネットワークノード１２０がターゲット二次ネットワークノード１１０Ｂに図７に示すメッセージ７１９などの再構成完了メッセージを送信することをさらに含んでよい。
【００５２】
[0069] 図８−図９に関連して、いくつかの実施形態では、ソース二次ネットワークノード１１０Ａが第１の新無線ノードを備え、ターゲット二次ネットワークノード１１０Ｂは第２の新無線ノードを備え、マスタネットワーク１２０ノードはｅＮＢを備える。他の実施形態では、ソース二次ネットワークノード１１０Ａが第１のｅＮＢを備え、ターゲット二次ネットワークノード１１０Ｂは第２のｅＮＢを備え、マスタネットワークノード１２０は新無線ノードを備える。
【００５３】
[0070] 図１０は、いくつかの実施形態によるソース二次ネットワークノード１１０Ａのブロック図である。図１０に示すように、ソース二次ネットワークノード１１０Ａは、１つまたは複数のプロセッサ１０５５（例えば、汎用マイクロプロセッサおよび／または特定用途向け集積回路（ＡＳＩＣ）、フィールドプログラマブルゲートアレイ（ＦＰＧＡ）などの１つまたは複数の他のデータ処理回路）を含むことができるデータ処理システム（ＤＰＳ）１００２と、ソース二次ネットワークノード１１０Ａをネットワーク１３０に接続する際に使用するためのネットワークインタフェース１００５と、例えばＵＥおよび他のデバイスと無線通信する際に使用するためのアンテナ１０２２に結合された無線トランシーバ１００７（すなわち、受信機および送信機）と、１つまたは複数の不揮発性記憶デバイスおよび／または１つまたは複数の揮発性記憶デバイス（例えばランダムアクセスメモリ（ＲＡＭ））を含むことができるローカル記憶ユニット（別名「データ記憶システム」）１０１２とを含むことができる。ソース二次ネットワークノード１１０Ａが汎用マイクロプロセッサを含む実施形態では、コンピュータプログラム製品（ＣＰＰ）１０４１を提供することができる。ＣＰＰ１０４１は、コンピュータ可読命令（ＣＲＩ）１０４４を含むコンピュータプログラム（ＣＰ）１０４３を格納するコンピュータ可読媒体（ＣＲＭ）１０４２を含む。ＣＲＭ１０４２は、限定はしないが、磁気媒体（例えば、ハードディスク）、光媒体（例えば、ＤＶＤ）、メモリデバイス（例えば、ランダムアクセスメモリ）などの非一時的なコンピュータ可読媒体とすることができる。いくつかの実施形態では、コンピュータプログラム１０４３のＣＲＩ１０４４がデータ処理システム１００２によって実行されると、ＣＲＩがソース二次ネットワークノード１１０Ａに上述のステップ（例えば、フローチャートを参照して上述したステップ）を実行させるように構成される。他の実施形態では、二次ネットワークノード１１０Ａがコードを必要とせずに、本明細書で説明されるステップを実行するように構成され得る。すなわち、例えば、データ処理システム１００２は、単に１つ以上のＡＳＩＣから構成されてもよい。したがって、本明細書で説明する実施形態の特徴は、ハードウェアおよび／またはソフトウェアで実装することができる。
【００５４】
[0071] 図１１は、いくつかの実施形態によるマスタネットワークノード１２０のブロック図である。図１１に示すように、マスタネットワークノード１２０は、１つまたは複数のプロセッサ１１５５（例えば、汎用マイクロプロセッサおよび／または特定用途向け集積回路（ＡＳＩＣ）、フィールドプログラマブルゲートアレイ（ＦＰＧＡ）などの１つまたは複数の他のデータ処理回路）を含むことができるデータ処理システム（ＤＰＳ）１１０２と、マスタネットワークノード１２０をネットワーク１３０に接続する際に使用するためのネットワークインターフェース１１０５と、例えばＵＥおよび他のデバイスと無線通信する際に使用するためのアンテナ１１２２に結合された無線トランシーバ１１０７と、１つまたは複数の不揮発性記憶デバイスおよび／または１つまたは複数の揮発性記憶デバイス（例えばランダムアクセスメモリ（ＲＡＭ））を含むことができるローカル記憶ユニット（別名「データ記憶システム」）１１１２とを含むことができる。マスタネットワークノード１２０が汎用マイクロプロセッサを含む実施形態では、コンピュータプログラム製品（ＣＰＰ）１１４１を提供することができる。ＣＰＰ１１４１は、コンピュータ可読命令（ＣＲＩ）１１４４を含むコンピュータプログラム（ＣＰ）１１４３を格納するコンピュータ可読媒体（ＣＲＭ）１１４２を含む。ＣＲＭ１１４２は、限定はしないが、磁気媒体（例えば、ハードディスク）、光媒体（例えば、ＤＶＤ）、メモリデバイス（例えば、ランダムアクセスメモリ）などの非一時的なコンピュータ可読媒体とすることができる。いくつかの実施形態では、コンピュータプログラム１１４３のＣＲＩ１１４４がデータ処理システム１１０２によって実行されると、ＣＲＩがマスタネットワークノード１２０に上述のステップ（例えば、フローチャートを参照して上述したステップ）を実行させるように構成される。他の実施形態では、マスタネットワークノード１２０がコードを必要とせずに、本明細書で説明されるステップを実行するように構成され得る。すなわち、例えば、データ処理システム1102は、単に１つ以上のＡＳＩＣから構成されてもよい。したがって、本明細書で説明する実施形態の特徴は、ハードウェアおよび／またはソフトウェアで実装することができる。
【００５５】
[0072] 以下では、様々な実施形態が例示的に説明される。
二次ネットワークノードの実施形態：
Ｅ１．    ソース二次ネットワークノードによって実行される、前記ソース二次ネットワークノードから、前記ソース二次ネットワークノードとは異なるターゲット二次ネットワークノードにユーザ機器コンテキストを転送する方法であって、前記方法は、
前記ソース二次ネットワークノードにより、第１のメッセージを前記ターゲット二次ネットワークノードに送信することであって、前記ターゲットネットワークノードは、前記ターゲット二次ネットワークノードの構成データを含む第２のメッセージを前記ソース二次ネットワークノードに送信することによって、前記第１のメッセージに応答するように構成されることと、
前記ソース二次ネットワークノードにおいて、前記ターゲット二次ネットワークノードのより送信された前記第２のメッセージを受信し、前記第２のメッセージを受信した後、前記ソース二次ネットワークノードから前記ターゲット二次ネットワークノードへの前記ＵＥコンテキストの転送を開始することであって、前記ＵＥコンテキストの転送を開始することは、前記ソース二次ネットワークノードにより、前記ターゲット二次ネットワークノードの構成データを含む第３のメッセージをマスタネットワークノードに送信することを含むことと、
を含む。
E2．    実施形態１に記載の方法であって、前記第１のメッセージはハンドオーバ要求メッセージを含み、前記ハンドオーバ要求メッセージは前記ターゲット二次ネットワークノードに、１つまたは複数の構成動作を実行するように命令する、方法。
E3．    実施形態２に記載の方法であって、前記第２のメッセージは、ハンドオーバ応答メッセージを含む、方法。
E4．    実施形態１乃至２のいずれか一項に記載の方法であって、前記構成データは、無線リソース制御（ＲＲＣ）プロトコルデータユニット（ＰＤＵ）または情報要素（ＩＥ）のうちの１つを含む、方法。
E5．    実施形態１乃至４のいずれか一項に記載の方法であって、さらに、
前記ソース二次ネットワークノードにおいて、前記マスタネットワークノードにより送信された第４のメッセージを受信することであって、前記第４のメッセージは解放要求を含み、前記マスタネットワークノードは、前記第３のメッセージを受信した後に前記第４のメッセージを送信するように構成されること、を含む方法。
E6．    実施形態１乃至５のいずれか一項に記載の方法であって、前記ソース二次ネットワークノードが第１の新無線ノードを備え、前記ターゲット二次ネットワークノードが第２の新無線ノードを備え、前記マスタネットワークノードが発展型ノードＢを備える、方法。
E7．    実施形態１乃至５のいずれか一項に記載の方法であって、前記ソース二次ネットワークノードが第１の発展型ノードＢを備え、前記ターゲット二次ネットワークノードが第２の発展型ノードＢを備え、前記マスタネットワークノードが新無線ノードを備える、方法。
E8．  ソース二次ネットワークノードであって、送信機と、受信機と、メモリと、
１つまたは複数のプロセッサを備えるデータ処理システムとを備え、前記ソース二次ネットワークノードは、実施形態１乃至７のいずれか一項に記載の方法を実行するように構成される、ソース二次ネットワークノード。
マスタネットワークノードの実施形態：
Ｅ１．    マスタネットワークノードによって実行される、ソース二次ネットワークノードから、前記ソース二次ネットワークノードとは異なるターゲット二次ネットワークノードにユーザ機器コンテキストを転送する方法であって、前記方法は、
マスタネットワークノードにおいて、前記ソース二次ネットワークノードによって送信された第１のメッセージを受信することであって、前記第１のメッセージは、ソース二次ネットワークノードからターゲット二次ネットワークノードへのＵＥコンテキストの転送を開始する要求を含むことと、 
前記要求に応答して、マスタネットワークノードにより、第２のメッセージを前記ターゲット二次ネットワークノードに送信することと、
マスタネットワークノードにより、前記ターゲット二次ネットワークノードから第３のメッセージを受信することであって、前記第３のメッセージは、前記ターゲット二次ネットワークノードの構成データを含むことと、を含む方法。
E2．    実施形態１に記載の方法であって、さらに、
前記マスタネットワークノードにより、前記ソース二次ネットワークノードへと第４のメッセージを送信することであって、前記第４のメッセージは、前記要求の承諾を含むことと、を含む方法。
E3．    実施形態2に記載の方法であって、さらに、
前記マスタネットワークノードにより、前記ソース二次ネットワークノードへと第５のメッセージを送信することであって、前記第５のメッセージは、解放要求を含むことと、を含む方法。
E4．  実施形態1乃至３のいずれか一項に記載の方法であって、さらに、
前記第３のメッセージの受信に応答して、第４のメッセージをユーザ機器に送信することであって、前記第４のメッセージはＲＲＣ接続再構成メッセージを含むことと、
第５のメッセージを前記ユーザ機器から受信することであって、前記第５のメッセージは、ＲＲＣ接続再構成完了メッセージを含むことと、を含む方法。
E5．    実施形態4に記載の方法であって、さらに、 
前記第５のメッセージの受信に応答して、第６のメッセージを前記ターゲット二次ネットワークノードに送信することであって、前記第６のメッセージは再構成完了を含むこと、を含む方法。
E6．    実施形態１乃至５のいずれか一項に記載の方法であって、前記第１のメッセージは、変更要求を含む、方法。
E7．   実施形態１乃至６のいずれか一項に記載の方法であって、前記ターゲット二次ネットワークノードの前記構成データは、無線リソース制御（ＲＲＣ）プロトコルデータユニット（ＰＤＵ）または情報要素のうちの１つを含む、方法。
E8．    実施形態１乃至７のいずれか一項に記載の方法であって、前記ソース二次ネットワークノードが第１の新無線ノードを備え、前記ターゲット二次ネットワークノードが第２の新無線ノードを備え、前記マスタネットワークノードが発展型ノードＢを備える、方法。
E9．    実施形態１乃至７のいずれか一項に記載の方法であって、前記ソース二次ネットワークノードが第１の発展型ノードＢを備え、前記ターゲット二次ネットワークノードが第２の発展型ノードＢを備え、前記マスタネットワークノードが新無線ノードを備える、方法。
E10．  マスタネットワークノードであって、送信機と、受信機と、メモリと、１つまたは複数のプロセッサを備えるデータ処理システムとを備え、前記マスタネットワークノードは、実施形態１乃至９のいずれか一項に記載の方法を実行するように構成される、マスタネットワークノード。
【００５６】
[0073] 本開示の様々な実施形態が本明細書で記載されているが、それらは単なる例として提示されていることを理解されたい。さらに、上述し、図面に示したプロセスは一連のステップとして示されているが、これは説明のためだけに行われたものである。したがって、いくつかのステップが追加されてもよく、いくつかのステップが省略されてもよく、いくつかのステップの順序が再構成されてもよく、いくつかのステップが並列に実行されてもよいことが企図される。
【図１】
2019537369.tif 000003
【図２】
2019537369.tif 000004
【図３】
2019537369.tif 000005
【図４】
2019537369.tif 000006
【図５】
2019537369.tif 000007
【図６】
2019537369.tif 000008
【図７】
2019537369.tif 000009
【図８】
2019537369.tif 000010
【図９】
2019537369.tif 000011
【図１０】
2019537369.tif 000012
【図１１】
2019537369.tif 000013
【図１２】
2019537369.tif 000014
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
二次ネットワークノード（１１０Ａ）から新しい二次ネットワークノード（１１０Ｂ）への二次ネットワーク内のユーザ機器（ＵＥ）のコンテキストの転送のための方法であって、前記ＵＥ（１０５）は、マスタネットワークノード（１２０）および前記二次ネットワークノード（１１０Ａ）によってサービスされ、前記方法は、
・  前記ＵＥが、前記二次ネットワークノード（１１０Ａ）により構築された測定構成を示す第１のメッセージ（１２０２）を受信することと、
・  前記ＵＥが、前記測定構成に基づいて、新しい二次ネットワークノード（１１０Ｂ）の潜在的候補の測定を実行することと、
・  前記ＵＥが、前記新しい二次ノードの潜在的候補の前記測定を示す測定報告を含む第２のメッセージ（１２０３）を送信することと、を含む方法。
【請求項２】
請求項１に記載の方法であって、前記第１のメッセージは前記マスタネットワークノード（１２０）から受信され、前記第１のメッセージ（１２０２）は前記測定構成（１２０１）を含む、方法。
【請求項３】
請求項１または２に記載の方法であって、前記測定構成は測定すべき適切な周波数間を示し、前記ＵＥ（１０５）は、対応する測定を実行する、方法。 
【請求項４】
請求項１乃至３のいずれか一項に記載の方法であって、前記第１のメッセージ（１２０２）は、前記二次ノード（１１０Ａ）内のＲＲＣエンティティによって生成される、方法。
【請求項５】
請求項１乃至４のいずれか一項に記載の方法であって、前記ＵＥ（１０５）は、ＲＲＣパケットデータユニット（ＰＤＵ）の形で前記測定構成を受信する、方法。
【請求項６】
請求項１乃至５のいずれか一項に記載の方法であって、前記第２のメッセージは、前記マスタネットワークノード（１２０）に送信される、方法。
【請求項７】
請求項１乃至６のいずれか一項に記載の方法であって、前記ＵＥ（１０５）は、前記二次ネットワークに転送されるコンテナ内に前記測定報告を含む前記第２のメッセージを生成する、方法。
【請求項８】
請求項１乃至７のいずれか一項に記載の方法であって、前記第１のメッセージおよび前記第２のメッセージはＲＲＣメッセージである、方法。
【請求項９】
請求項１乃至８のいずれか一項に記載の方法であって、前記二次ネットワークノードから前記新しい二次ネットワークノードへ前記コンテキストを転送する前記二次ネットワークの決定に応答して、前記ＵＥは、接続再構成メッセージを含む第３のメッセージ（６１３、７１５）を受信する、方法。
【請求項１０】
請求項９に記載の方法であって、前記ＵＥは、前記第３のメッセージに応答して、接続再構成完了確認を含む第４のメッセージ（６１５、７１７）を送信する、方法。
【請求項１１】
請求項１０に記載の方法であって、前記第３のメッセージおよび前記第４のメッセージはＲＲＣメッセージである、方法。
【請求項１２】
請求項９乃至１１のいずれか一項に記載の方法であって、前記第３のメッセージは、前記マスタネットワークノード（１２０）から受信される、方法。
【請求項１３】
請求項９乃至１２のいずれか一項に記載の方法であって、前記第３のメッセージは、前記新しい二次ネットワークノード（１１０Ｂ）により生成された二次ノード構成を含む、方法。
【請求項１４】
請求項１０乃至１１のいずれか一項に記載の方法であって、前記第４のメッセージは、前記マスタネットワークノード（１２０）へと送信される、方法。
【請求項１５】
請求項１４に記載の方法であって、前記第４のメッセージを送信することは、前記マスタネットワークノード（１２０）から前記新しい二次ネットワークノード（１１０Ｂ）への接続再構成完了情報を含む第５のメッセージの送信を開始する、方法。
【請求項１６】
請求項１乃至１５のいずれか一項に記載の方法であって、前記二次ネットワークは新無線（ＮＲ）ネットワークであり、前記二次ネットワークノード（１１０Ａ）は、新無線ノードＢ（ＳｇＮＢ）である、方法。
【請求項１７】
請求項１乃至１６のいずれか一項に記載の方法であって、前記マスタネットワークノード（１２０）はＬＴＥネットワークノードであり、前記マスタネットワークノード（１２０）は、マスタ発展型ノードＢ（ＭｅＮＢ）である、方法。
【請求項１８】
請求項１乃至１７のいずれか一項に記載の方法を実行するように適合されたユーザ機器（ＵＥ）（１０５）。
【請求項１９】
二次ネットワークノード（１１０Ａ）から新しい二次ネットワークノード（１１０Ｂ）への二次ネットワーク内のＵＥコンテキストの転送をサポートするように構成されたユーザ機器（ＵＥ）（１０５）であって、前記ＵＥ（１０５）はマスタネットワークノード（１２０）および前記二次ネットワークノードによってサービスされ、前記ＵＥは、送信機と、受信機と、メモリと、１つまたは複数のプロセッサを備えるデータ処理システムとを備え、前記メモリは前記１つまたは複数のプロセッサによって実行可能な命令を含み、前記ＵＥ（１０５）は、
・  前記二次ネットワークノード（１１０Ａ）により構築された測定構成（１２０１）を示す第１のメッセージ（１２０２）を受信し、
・  前記測定構成に基づいて、前記新しい二次ネットワークノードの潜在的候補の測定を実行し、
・  前記新しい二次ノードの潜在的候補の前記測定を示す測定報告を含む第２のメッセージ（１２０３）を送信する、ＵＥ（１０５）。
【請求項２０】
請求項１９に記載のＵＥ（１０５）であって、前記第１のメッセージ（１２０２）は、前記マスタネットワークノード（１２０）から受信される、ＵＥ（１０５）。
【請求項２１】
請求項１９乃至２０のいずれか一項に記載のＵＥ（１０５）であって、前記ＵＥ（１０５）は、適切な周波数間の測定を実行するように構成される、ＵＥ（１０５）。
【請求項２２】
請求項１９乃至２１のいずれか一項に記載のＵＥ（１０５）であって、前記第１のメッセージ（１２０２）は、前記ＵＥ内のＲＲＣエンティティによって受信される、ＵＥ（１０５）。
【請求項２３】
請求項１９乃至２２のいずれか一項に記載のＵＥ（１０５）であって、前記ＵＥ（１０５）は、ＲＲＣパケットデータユニット（ＰＤＵ）の形で前記測定構成を受信する、ＵＥ（１０５）。
【請求項２４】
請求項１９乃至２３のいずれか一項に記載のＵＥ（１０５）であって、前記第２のメッセージ（１２０３）は、前記マスタネットワークノード（１２０）に送信される、ＵＥ（１０５）。
【請求項２５】
請求項１９乃至２４のいずれか一項に記載のＵＥ（１０５）であって、前記ＵＥ（１０５）は、前記二次ネットワークに転送されるコンテナ内に前記測定報告を含む前記第２のメッセージ（１２０３）を生成する、ＵＥ（１０５）。
【請求項２６】
請求項１９乃至２５のいずれか一項に記載のＵＥ（１０５）であって、前記第１のメッセージ（１２０２）および前記第２のメッセージ（１２０３）はＲＲＣメッセージである、ＵＥ（１０５）。
【請求項２７】
請求項１９乃至２６のいずれか一項に記載のＵＥ（１０５）であって、さらに、
・  接続再構成を含む第３のメッセージ（６１３、７１５）を受信し、
・  接続再構成完了確認を含む第４のメッセージ（６１５、７１７）を送信する、ＵＥ（１０５）。
【請求項２８】
請求項２７に記載のＵＥ（１０５）であって、前記第３のメッセージおよび前記第４のメッセージはＲＲＣメッセージである、ＵＥ（１０５）。
【請求項２９】
請求項２７乃至２８のいずれか一項に記載のＵＥ（１０５）であって、前記第３のメッセージは、前記マスタネットワークノード（１２０）から受信される、ＵＥ（１０５）。
【請求項３０】
請求項２７乃至２９のいずれか一項に記載のＵＥ（１０５）であって、前記第３のメッセージ（６１３，７１５）は、前記新しい二次ネットワークノード（１１０Ｂ）により生成された二次ノード構成を含む、ＵＥ（１０５）。
【請求項３１】
請求項２７乃至３０のいずれか一項に記載のＵＥ（１０５）であって、前記第４のメッセージ（６１５、７１７）は、前記マスタネットワークノード（１２０）に送信される、ＵＥ（１０５）。
【請求項３２】
請求項２７乃至３１のいずれか一項に記載のＵＥ（１０５）であって、前記第４のメッセージは、前記新しい二次ネットワークノード（１１０Ｂ）へと二次ノード接続再構成完了メッセージを送信することの指示を含む、ＵＥ（１０５）。
【請求項３３】
二次ネットワークノード（１１０Ａ）から新しい二次ネットワークノード（１１０Ｂ）への二次ネットワーク内のユーザ機器（ＵＥ）のコンテキストの転送のための方法であって、前記ＵＥ（１０５）は、マスタネットワークノード（１２０）および前記二次ネットワークノード（１１０Ａ）によってサービスされ、前記方法は、前記二次ネットワークノード（１１０Ａ）により実行される、
・  二次ネットワークノードの測定構成を示す第１のメッセージ（１２０２）の前記ＵＥへの送信を開始することと、
・  新しい二次ノードの潜在的候補の測定値を示す測定報告を含む第２のメッセージ（１２０３）を前記ＵＥ（１０５）から受信することと、を含む方法。
【請求項３４】
請求項３３に記載の方法であって、前記第１のメッセージ（１２０２）は、前記二次ネットワークノード（１１０Ａ）内のＲＲＣエンティティによって生成される、方法。
【請求項３５】
請求項３３乃至３４のいずれか一項に記載の方法であって、前記第１のメッセージ（１２０２）は、前記ＵＥ（１０５）に転送されるように、前記マスタネットワークノードへと送信される、方法。
【請求項３６】
請求項３３乃至３５のいずれか一項に記載の方法であって、前記測定構成は、前記ＵＥ（１０５）により測定すべき適切な周波数間を示す、方法。 
【請求項３７】
請求項３３乃至３６のいずれか一項に記載の方法であって、前記測定構成は、ＲＲＣパケットデータユニット（ＰＤＵ）の形で送信される、方法。
【請求項３８】
請求項３３乃至３７のいずれか一項に記載の方法であって、前記第２のメッセージ（１２０３）は前記マスタネットワークノード（１２０）から受信され、前記第２のメッセージ（１２０３）は前記ＵＥ（１０５）の前記測定報告を含む、方法。
【請求項３９】
請求項３８に記載の方法であって、前記第２のメッセージ（１２０３）に含まれるコンテナから前記測定報告を取り出すことを含む、方法。
【請求項４０】
請求項３３乃至３９のいずれか一項に記載の方法であって、前記第１のメッセージおよび前記第２のメッセージはＲＲＣメッセージである、方法。
【請求項４１】
請求項３３乃至４０のいずれか一項に記載の方法であって、接続再構成メッセージ（６１３、７１５）を含む第３のメッセージ（６１３、７１５）のＵＥ（１０５）への送信を開始するために、前記新しい二次ネットワークノード（１１０Ｂ）により生成されたノード構成（６０５、７０７）を前記マスタネットワークノード（１０２）に送信することをさらに含む、方法。
【請求項４２】
請求項４１に記載の方法であって、前記第３のメッセージはRRC接続再構成メッセージである、方法。
【請求項４３】
請求項４１乃至４２のいずれか一項に記載の方法であって、接続再構成完了メッセージを含む第４のメッセージ（６１５、７１７）が、前記マスタネットワークノード（１２０）に送信される、方法。
【請求項４４】
請求項３３乃至４３のいずれか一項に記載の方法であって、前記二次ネットワークは新無線（ＮＲ）ネットワークであり、前記二次ネットワークノード（１１０Ａ）は、新無線ノードＢ（ＳｇＮＢ）である、方法。
【請求項４５】
請求項３３乃至４４のいずれか一項に記載の方法を実行するように適合されたネットワークノード（１１０Ａ）。
【請求項４６】
ターゲット二次ネットワークノード（１１０Ｂ）への二次ネットワーク内のＵＥコンテキストの転送を提供するように構成されたネットワークノード（１１０Ａ）であって、ＵＥ（１０５）はマスタネットワークノード（１２０）および前記ネットワークノードによってサービスされ、前記ネットワークノードは、送信機と、受信機と、メモリと、１つまたは複数のプロセッサを備えるデータ処理システムとを備え、前記メモリは前記１つまたは複数のプロセッサによって実行可能な命令を含み、前記ネットワークノードは、 
・  二次ネットワークノードの測定構成を示す第１のメッセージ（１２０２）の前記ＵＥへの送信を開始することと、
・  新しい二次ノードの潜在的候補の測定値を示す測定報告を含む第２のメッセージ（１２０３）を前記ＵＥ（１０５）から受信することと、を備えるネットワークノード（１１０Ａ）。
【請求項４７】
請求項４６に記載のネットワークノード（１１０Ａ）であって、前記第１のメッセージを生成するためにＲＲＣエンティティをさらに備える、ネットワークノード（１１０Ａ）。
【請求項４８】
請求項４６乃至４７のいずれか一項に記載のネットワークノード（１１０Ａ）であって、前記第１のメッセージ（１２０２）を、前記ＵＥ（１０５）に転送されるように、前記マスタネットワークノードへと送信するよう構成される、ネットワークノード（１１０Ａ）。
【請求項４９】
請求項４６乃至４８のいずれか一項に記載のネットワークノード（１１０Ａ）であって、前記測定構成内に、前記ＵＥ（１０５）により測定すべき適切な周波数間を示すよう構成される、ネットワークノード（１１０Ａ）。 
【請求項５０】
請求項４６乃至４９のいずれか一項に記載のネットワークノード（１１０Ａ）であって、ＲＲＣパケットデータユニット（ＰＤＵ）の形で前記測定構成を送信するよう構成される、ネットワークノード（１１０Ａ）。
【請求項５１】
請求項４６乃至５０のいずれか一項に記載のネットワークノード（１１０Ａ）であって、前記ＵＥ（１０５）の前記測定報告を含む前記第２のメッセージを前記マスタネットワークノード（１２０）から受信するよう構成される、ネットワークノード（１１０Ａ）。
【請求項５２】
請求項５１に記載のネットワークノード（１１０Ａ）であって、前記第２のメッセージに含まれるコンテナから前記測定報告を取り出すよう構成される、ネットワークノード（１１０Ａ）。
【請求項５３】
請求項４６乃至５２のいずれか一項に記載のネットワークノード（１１０Ａ）であって、前記第１のメッセージおよび前記第２のメッセージはＲＲＣメッセージである、ネットワークノード（１１０Ａ）。
【請求項５４】
請求項４６乃至５３のいずれか一項に記載のネットワークノード（１１０Ａ）であって、接続再構成メッセージ（６１３、７１５）を含む第３のメッセージ（６１３、７１５）のＵＥ（１０５）への送信を開始するために、前記ターゲット二次ネットワークノード（１１０Ｂ）により生成されたノード構成（６０５、７０７）を前記マスタネットワークノード（１０２）に送信するようさらに構成される、ネットワークノード（１１０Ａ）。
【請求項５５】
請求項５４に記載のネットワークノード（１１０Ａ）であって、前記第３のメッセージはRRC接続再構成メッセージである、方法。
【請求項５６】
請求項５４乃至５５のいずれか一項に記載のネットワークノード（１１０Ａ）であって、接続再構成完了メッセージを含む第４のメッセージ（６１５、７１７）を前記マスタネットワークノード（１２０）に送信するよう構成される、ネットワークノード（１１０Ａ）。
【請求項５７】
請求項４６乃至５６のいずれか一項に記載のネットワークノード（１１０Ａ）であって、前記二次ネットワークは新無線（ＮＲ）ネットワークであり、前記ネットワークノード（１１０Ａ）は、新無線ノードＢ（ＳｇＮＢ）である、ネットワークノード（１１０Ａ）。
【国際調査報告】
2019537369.tif 000015
2019537369.tif 000016
2019537369.tif 000017